(57)【要約】【課題】  帯状台紙を装着する際、エア噴出管が邪魔にならないようにして、吸着板側に突出した帯状台紙の先端部を容易に折り返して装着できるようにし、帯状台紙の装着作業性の向上を図る。【解決手段】  ラベルＬを物品に貼付する吸着板の吸着位置Ｘにおいて、剥離部材１０のエッジ１１の近傍且つ折り返された帯状台紙Ｄの外側に位置させられ剥離部材１０から剥離されたラベルＬの裏側から吸着板側に向けてエアを噴射し、吸着板によるラベルＬの吸着を補助するエア噴射管３０を備え、剥離部材１０を、ラベルＬの剥離位置Ｑ及び吸着板２０から離間する方向に退避する退避位置Ｒの２位置に移動可能にし、同時に、連動機構４０を介して、エア噴射管３０を、剥離部材１０のエッジ１１の近傍に位置してエアを噴射する噴射位置Ｆ及び剥離部材１０から離間した離間位置Ｇの２位置移動可能にした。【選択図】  図３
2008155934.tif 000002
【特許請求の範囲】
【請求項１】
ラベル送出部から送出された帯状台紙を折り返して該帯状台紙に仮着されたラベルを剥離するエッジを有した剥離部材と、該剥離部材で剥離されたラベルをその表側から吸着面に吸着する吸着位置及び該吸着したラベルを物品に貼付する貼付位置に移動させられる吸着板と、該吸着板の吸着位置において上記剥離部材のエッジの近傍且つ上記折り返された帯状台紙の外側に位置させられて上記剥離部材から剥離されたラベルの裏側から吸着板側に向けてエアを噴射し該吸着板によるラベルの吸着を補助するエア噴射管とを備えたラベル貼付装置において、
上記エア噴射管を、上記剥離部材のエッジの近傍に位置してエアを噴射する噴射位置及び上記剥離部材から離間した離間位置の２位置に移動可能にし、
上記剥離部材を、帯状台紙に仮着されたラベルを剥離する剥離位置及び上記吸着板から離間する方向に退避する退避位置の２位置に移動可能にし、
上記エア噴射管の噴射位置から離間位置への移動と上記剥離部材の剥離位置から退避位置への移動とを連動して行なわせるとともに、上記エア噴射管の離間位置から噴射位置への移動と上記剥離部材の退避位置から剥離位置への移動とを連動して行なわせる連動機構を設けたことを特徴とするラベル貼付装置。
【請求項２】
上記エア噴射管の離間位置を、帯状台紙を装着する際に上記剥離部材から突出した帯状台紙のラベル仮着側の面よりも更に外側の位置に位置するように設定したことを特徴とする請求項１記載のラベル貼付装置。
【請求項３】
上記エア噴射管を上記噴射位置及び離間位置の２位置に移動させ、上記連動機構を介して、上記剥離部材を上記剥離位置及び退避位置の２位置に移動させ、若しくは、
上記剥離部材を上記剥離位置及び退避位置の２位置に移動させ、上記連動機構を介して、上記エア噴射管を上記噴射位置及び離間位置の２位置に移動させる駆動部を備えたことを特徴とする請求項１または２記載のラベル貼付装置。
【請求項４】
上記剥離部材の前位に、帯状台紙を搬送する搬送ローラと、帯状台紙の有無を検知する台紙センサとを備え、帯状台紙を装着する際、上記センサが帯状台紙の先端部の有を検知したとき、上記搬送ローラを所定時間駆動するとともに、上記エア噴射管を噴射位置から離間位置に移動させ、且つ、上記剥離部材を剥離位置から退避位置に移動させ、その後、所定時間経過後に上記エア噴射管を離間位置から噴射位置に移動させ、且つ、上記剥離部材を退避位置から剥離位置に移動させるように上記駆動部を作動させる制御部を備えたことを特徴とする請求項３記載のラベル貼付装置。
【発明の詳細な説明】
【技術分野】
【０００１】
本発明は、帯状台紙からラベルを剥離して吸着板に吸着させてラベルの貼付を行なうラベル貼付装置に係り、特に、剥離したラベルの裏側からエア噴射管によりエアを噴射して吸着板によるラベルの吸着を補助するラベル貼付装置に関する。
【背景技術】
【０００２】
従来、この種のラベル貼付装置としては、例えば、図５に示すように、供給リールを有したラベル送出部（図示せず）から送出された帯状台紙Ｄを折り返してこの帯状台紙Ｄに仮着されたラベルＬを剥離するエッジ１０１を有した剥離部材１００と、この剥離部材１００で剥離されたラベルＬをその表側から吸着面１０２に吸着する吸着位置Ｘ及び吸着したラベルＬを図示外の物品に貼付する貼付位置Ｙに移動させられる吸着板１０３と、剥離部材１００に固定され吸着板１０３の吸着位置Ｘにおいて剥離部材１００から剥離されたラベルＬの裏側から吸着板１０３側に向けてエアを噴射して吸着板１０３によるラベルＬの吸着を補助するエア噴射管１０４とを備えたものが知られている（例えば、特開２００６−１４３２３４号公報など参照）。図５中符号１０５は剥離部材１００の前位で帯状台紙Ｄに仮着されたラベルＬに印字を行なう印字ヘッド、１０６はプラテンである。
【０００３】
この種のラベル装置において、帯状台紙Ｄを装着するときは、図６に示すように、手作業により、帯状台紙Ｄの先端部Ｄａを、印字ヘッド１０５とプラテン１０６との間に通して吸着板１０３側にこの先端部Ｄａを突出させ、次に、剥離部材１００のエッジ１０１を境にして帯状台紙Ｄを折り返すとともに、この先端部Ｄａを、剥離部材１００とエア噴射管１０４との間に引き通し、巻取リール（図示せず）に巻き掛けて行なう。
【０００４】
【特許文献１】特開２００６−１４３２３４号公報
【発明の開示】
【発明が解決しようとする課題】
【０００５】
ところで、この従来のラベル貼付装置にあっては、帯状台紙Ｄを装着する際、逐一、手作業により、先端部Ｄａを、印字ヘッド１０５とプラテン１０６との間に通して吸着板１０３側にこの先端部Ｄａを突出させ、剥離部材１００のエッジ１０１を境にして帯状台紙Ｄを折り返すとともに、この先端部Ｄａを、剥離部材１００とエア噴射管１０４との間に引き通さなければならないので、装着作業が煩雑になっているという問題があった。特に、突出した帯状台紙Ｄの先端部Ｄａがエア噴出管１０４を覆うようになり、また、剥離部材１００とエア噴射管１０４との間が狭いので、エア噴出管１０４が邪魔になり、帯状台紙Ｄを折り返して装着する作業が煩雑を極めている。
【０００６】
本発明は上記の問題点に鑑みて為されたもので、帯状台紙を装着する際、エア噴出管が邪魔にならないようにして、吸着板側に突出した帯状台紙の先端部を容易に折り返して装着できるようにし、帯状台紙の装着作業性の向上を図ったラベル貼付装置を提供することを目的とする。
【課題を解決するための手段】
【０００７】
上記課題を解決するため、本発明のラベル貼付装置は、  ラベル送出部から送出された帯状台紙を折り返して該帯状台紙に仮着されたラベルを剥離するエッジを有した剥離部材と、該剥離部材で剥離されたラベルをその表側から吸着面に吸着する吸着位置及び該吸着したラベルを物品に貼付する貼付位置に移動させられる吸着板と、該吸着板の吸着位置において上記剥離部材のエッジの近傍且つ上記折り返された帯状台紙の外側に位置させられて上記剥離部材から剥離されたラベルの裏側から吸着板側に向けてエアを噴射し該吸着板によるラベルの吸着を補助するエア噴射管とを備えたラベル貼付装置において、
上記エア噴射管を、上記剥離部材のエッジの近傍に位置してエアを噴射する噴射位置及び上記剥離部材から離間した離間位置の２位置に移動可能にし、
上記剥離部材を、帯状台紙に仮着されたラベルを剥離する剥離位置及び上記吸着板から離間する方向に退避する退避位置の２位置に移動可能にし、
上記エア噴射管の噴射位置から離間位置への移動と上記剥離部材の剥離位置から退避位置への移動とを連動して行なわせるとともに、上記エア噴射管の離間位置から噴射位置への移動と上記剥離部材の退避位置から剥離位置への移動とを連動して行なわせる連動機構を設けた構成としている。
【０００８】
これにより、帯状台紙を装着するときは、エア噴射管を噴射位置から離間位置に移動させる。これにより、連動機構により、剥離部材が剥離位置から退避位置に移動させられる。若しくは、剥離部材を、剥離位置から退避位置に移動させる。これにより、連動機構により、エア噴射管が噴射位置から離間位置に移動させられる。
この場合、エア噴射管及び剥離部材が連動機構により連動するので、個々に移動させる場合に比較して、作動効率が向上させられる。
【０００９】
この状態で、帯状台紙の先端部を剥離部材のエッジから吸着板側に突出させるとともに、突出させた先端部を剥離部材のエッジを境にして折り返す。この帯状台紙の先端部が突出する際には、エア噴射管が剥離部材から離間しているので、先端部がエア噴出管に当たりにくくなり、突出が確実に行なわれる。特に、剥離部材が吸着板から離間するので、帯状台紙の通過経路が広くなり、帯状台紙の先端部が吸着板から離間する方向に撓むことができるようになり、帯状台紙の先端部が吸着板に干渉する事態も確実に防止でき、帯状台紙の先端部を確実に突出させることができるようになる。その結果、この点でもより一層装着が容易になり、装着作業性が向上させられる。
また、突出した先端部を折り返す際にも、エア噴出管が邪魔になりにくく、先端部の折り返しが容易に行なわれる。そのため、帯状台紙の装着が容易になり、装着作業性が大幅に向上させられる。
【００１０】
そして、必要に応じ、上記エア噴射管の離間位置を、帯状台紙を装着する際に上記剥離部材から突出した帯状台紙のラベル仮着側の面よりも更に外側の位置に位置するように設定している。
これにより、帯状台紙を装着するときは、帯状台紙の先端部を剥離部材のエッジから吸着板側に突出させて折り返すが、この際に、エア噴射管を離間位置から噴射位置に移動させると、この移動過程でエア噴射管が帯状台紙の先端部を押すことになるので、これにより、帯状台紙が自動的に折り返され、より一層装着が容易になり、装着作業性が大幅に向上させられる。
【００１１】
また、必要に応じ、上記エア噴射管を上記噴射位置及び離間位置の２位置に移動させ、上記連動機構を介して、上記剥離部材を上記剥離位置及び退避位置の２位置に移動させ、若しくは、上記剥離部材を上記剥離位置及び退避位置の２位置に移動させ、上記連動機構を介して、上記エア噴射管を上記噴射位置及び離間位置の２位置に移動させる駆動部を備えた構成としている。駆動部により、自動的にエア噴射管及び剥離部材を移動させることができるので、手動で移動させる場合に比較して操作が容易になる。
【００１２】
更に、必要に応じ、上記剥離部材の前位に、帯状台紙を搬送する搬送ローラと、帯状台紙の有無を検知する台紙センサとを備え、帯状台紙を装着する際、上記センサが帯状台紙の先端部の有を検知したとき、上記搬送ローラを所定時間駆動するとともに、上記エア噴射管を噴射位置から離間位置に移動させ、且つ、上記剥離部材を剥離位置から退避位置に移動させ、その後、所定時間経過後に上記エア噴射管を離間位置から噴射位置に移動させ、且つ、上記剥離部材を退避位置から剥離位置に移動させるように上記駆動部を作動させる制御部を備えた構成としている。搬送ローラに帯状台紙の先端部を差し込むだけで、搬送ローラによる自動搬送（オートフィード）が行なわれ、更に、駆動部が自動的に駆動されて先端部の折り返しまで自動で行なわれるので、より一層装着が容易になり、装着作業性が向上させられる。
【発明の効果】
【００１３】
本発明のラベル貼付装置によれば、帯状台紙を装着するときは、エア噴射管を、噴射位置から離間位置に移動させ、この状態で、帯状台紙の先端部を剥離部材のエッジから吸着板側に突出させるとともに、突出させた先端部を剥離部材のエッジを境にして折り返すが、エア噴射管が剥離部材から離間しているので、先端部がエア噴出管に当たりにくくなり、先端部の突出を確実に行なうことができる。また、突出した先端部を折り返す際にも、エア噴出管が邪魔になりにくく、先端部の折り返しを容易に行なうことができ、そのため、帯状台紙の装着が容易になり、装着作業性を大幅に向上させることができる。
特に、剥離部材が吸着板から離間するので、帯状台紙の通過経路が広くなり、帯状台紙の先端部が吸着板から離間する方向に撓むことができるようになり、帯状台紙の先端部が吸着板に干渉する事態も確実に防止でき、帯状台紙の先端部を確実に突出させることができるようになる。その結果、この点でもより一層装着が容易になり、装着作業性を大幅に向上させることができる。
また、エア噴射管及び剥離部材が連動機構により連動するので、個々に移動させる場合に比較して、作動効率を向上させることができる。
【００１４】
また、エア噴射管の離間位置を、帯状台紙を装着する際に上記剥離部材から突出した帯状台紙のラベル仮着側の面よりも更に外側の位置に位置するように設定した場合には、帯状台紙を装着するときは、帯状台紙の先端部を剥離部材のエッジから吸着板側に突出させて折り返すが、この際に、エア噴射管を離間位置から噴射位置に移動させると、この移動過程でエア噴射管が帯状台紙の先端部を押すことになるので、これにより、帯状台紙が自動的に折り返され、より一層装着が容易になり、装着作業性を大幅に向上させることができる。
【発明を実施するための最良の形態】
【００１５】
以下、添付図面に基づいて、本発明の実施の形態に係るラベル貼付装置について詳細に説明する。
図１乃至図３には、本発明の第一の実施の形態に係るラベル貼付装置を示している。この第一の実施の形態に係るラベル貼付装置は、機台１と、ラベルＬが等間隔に仮着された帯状台紙Ｄを巻き戻して台紙搬送経路に供給する供給リール（図示せず）を有したラベル送出部（図示せず）と、台紙搬送経路に供給された帯状台紙Ｄに仮着されたラベルＬに印字する印字ヘッド２及びプラテン３と、ラベル送出部から送出された帯状台紙Ｄを折り返してこの帯状台紙Ｄに仮着されたラベルＬを剥離するエッジ１１を有した剥離部材１０と、剥離部材１０でラベルＬが剥離された帯状台紙Ｄを巻き取る巻取リール（図示せず）とを備えている。図中符号４は、剥離部材１０のエッジ１１に対面してエッジ１１との間に帯状台紙Ｄが通過する隙間を形成して帯状台紙Ｄをガイドするガイド部材である。
【００１６】
また、剥離部材１０の前位であって、印字ヘッド２及びプラテン３の前位には、電動モータ（図示せず）で駆動されて帯状台紙Ｄを搬送する搬送ローラ５が設けられている。６は帯状台紙Ｄの有無を検知する台紙センサである。台紙センサ６は、通常のラベル貼付時に搬送ローラ５等の制御に用いられるとともに、後述の帯状台紙Ｄを装着する際の制御にも用いられる。
【００１７】
更に、実施の形態に係るラベル貼付装置は、中空の矩形状のブロック体７の壁部で形成されており、このブロック体７の前後の側壁には帯状台紙Ｄが通過可能な通過孔８が形成されている。このブロック体７は、機台１とは分離して設けられており、機台１から延びる後述の支持部材３３（図１）に付設されている。ブロック体７の内部には、少なくとも上記の印字ヘッド２，プラテン３，ガイド部材４，搬送ローラ５、台紙センサ６及び剥離部材１０が内蔵されている。符号９はブロック体７に内蔵され搬送ローラ５よりも前位に設けられた帯状台紙Ｄをガイドするガイドローラである。
【００１８】
また、実施の形態に係るラベル貼付装置は、図２に示すように、剥離部材１０の後流側近傍に設けられ、ラベルＬを吸着する吸着面２１を有した吸着板２０を備えている。吸着板２０は、ベース２２にスプリング２３を介して取り付けられており、剥離部材１０で剥離されたラベルＬをその表側から吸着面２１に吸着する吸着位置Ｘ及びこの吸着したラベルＬを物品（図示せず）に貼付する貼付位置Ｙにエアシリンダ装置２５により移動させられる。エアシリンダ装置２５は、シリンダ２５ａ及びピストン２５ｂからなり、後述の支持部材３３に支持部材２６を介して固定されている。ピストン２５ｂの先端には吸着板２０が取り付けられたベース２２が取り付けられている。
【００１９】
更に、実施の形態に係るラベル貼付装置は、吸着板２０の吸着位置Ｘにおいて、吸着板２０によるラベルＬの吸着を補助するエア噴射管３０を備えている。エア噴射管３０は、図１に示すように、剥離部材１０のエッジ１１の方向と平行な軸線を有した管本体３１を備え、この管本体３１にその軸線方向に沿ってエアを噴射する噴射口３２を複数形成して構成され、図２に示すように、剥離部材１０のエッジ１１の近傍且つ折り返された帯状台紙Ｄの外側に位置させられて、剥離部材１０から剥離されたラベルＬの裏側から吸着板２０側に向けてエアを噴射するものである。
【００２０】
エア噴射管３０は、機台１から延びる支持部材３３に、剥離部材１０のエッジ１１の近傍に位置してエアを噴射する噴射位置Ｆ（図２，図３（ａ）（ｃ））及び剥離部材１０から離間した離間位置Ｇ（図３（ｂ））の２位置に移動可能に設けられている。詳しくは、このエア噴射管３０の一端は、保持体３４で保持されている。この保持体３４の先端部３４ａにエア噴射管３０が取り付けられている。保持体３４の基端部３４ｂはピン３５を介して回動可能に支持部材３３に軸支され、この回動により、エア噴射管３０は、噴射位置Ｆ及び離間位置Ｇの２位置に移動可能になっている。
また、エア噴射管３０の離間位置Ｇは、帯状台紙Ｄを装着する際に、剥離部材１０から突出した帯状台紙ＤのラベルＬの仮着側の面よりも更に外側の位置に位置するように、吸着板２０の吸着面２１に近傍に設定されている。
【００２１】
また、剥離部材１０は、帯状台紙Ｄに仮着されたラベルＬを剥離する剥離位置Ｑ（図２，図３（ａ）（ｃ））及び吸着板２０から離間する方向に退避する退避位置Ｒ（図３（ｂ））の２位置に移動可能に設けられている。詳しくは、剥離部材１０が設けられたブロック体７は、機台１から延びる支持部材３３に、ガイドローラ９の回転軸３６を介して回動可能に軸支されており、この回動により、剥離部材１０は、剥離位置Ｑ及び退避位置Ｒの２位置に移動させられる。
【００２２】
更に、実施の形態に係るラベル貼付装置は、エア噴射管３０と剥離部材１０との連動機構４０を備えている。連動機構４０は、エア噴射管３０の噴射位置Ｆから離間位置Ｇへの移動と、剥離部材１０の剥離位置Ｑから退避位置Ｒへの移動とを連動して行なわせるとともに、エア噴射管３０の離間位置Ｇから噴射位置Ｆへの移動と、剥離部材１０の退避位置Ｒから剥離位置Ｑへの移動とを連動して行なわせるものである。詳しくは、この連動機構４０は、保持体３４の基端部３４ａからブロック体７の側方に突設された突出杆４１と、この突出杆４１からブロック体７の壁部に回転可能に貫通するピン４２とから構成されている。これにより、ブロック体７が回動すると、ピン４２，突出杆４１及び保持体３４を介してエア噴出管３０が回動する。
【００２３】
更にまた、実施の形態に係るラベル貼付装置は、エア噴射管３０を噴射位置Ｆ及び離間位置Ｇの２位置に移動させるとともに、剥離部材１０を剥離位置Ｑ及び退避位置Ｒの２位置に移動させる駆動部５０を備えている。この駆動部５０は、支持部材３３に回転可能に設けられブロック体７を回転軸３６を中心に回動しうるようにブロック体７の側壁に接するカム５１と、このカム５１のカム面にブロック体７の側壁を常時付勢して押圧するコイルスプリング５２とを備えている。カム５１は、最低位５３と最高位５４とを有した平カムであり、最低位５３にブロック体７の側壁が接しているとき、剥離部材１０を剥離位置Ｑに位置させ（エア噴射管３０を連動機構４０を介して噴射位置Ｆに位置させる）、最高位５４にブロック体７の側壁が接しているとき（図３（ｂ））、剥離部材１０を退避位置Ｒに位置させる（エア噴射管３０を連動機構４０を介して離間位置Ｇに位置させる）。また、駆動部５０は、支持部材３３に設けられカム５１をギヤ伝動機構５５を介して回転させる電動モータ５６を備えている。
【００２４】
また、実施の形態に係るラベル貼付装置は、帯状台紙Ｄを装着する際、即ち、台紙搬送経路上に帯状台紙Ｄがない状態から帯状台紙Ｄを装着する際、帯状台紙Ｄの有無を検知する台紙センサ６の検知に基づいて、帯状台紙Ｄを搬送するプラテン３、搬送ローラ５及び駆動部５０を制御する制御部（図示せず）を備えている。この制御部は、帯状台紙Ｄを装着する際、台紙センサ６が帯状台紙Ｄの先端部Ｄａの有を検知したとき、プラテン３及び搬送ローラ５を所定時間駆動するとともに、ブロック体７の剥離部材１０を剥離位置Ｑから退避位置Ｒに移動させ、これと同時に、連動機構４０を介して、エア噴射管３０を噴射位置Ｆから離間位置Ｇに移動させ、その後、所定時間経過後に、ブロック体７の剥離部材１０を退避位置Ｒから剥離位置Ｑに移動させ、これと同時に、連動機構４０を介して、エア噴射管３０を離間位置Ｇから噴射位置Ｆに移動させる。
【００２５】
従って、本発明の実施の形態に係るラベル貼付装置において、帯状台紙Ｄを装着する際は、以下のように行なわれる。図４に示す制御部による制御のフローチャートを用いて説明すると、台紙搬送経路上に帯状台紙Ｄがない状態では、常時台紙センサ６が帯状台紙Ｄの有無を見ている（Ｓ１１）。この状態で、図３（ａ）に示すように、先ず、ラベル送出部から帯状台紙Ｄを引出してその先端部Ｄａを搬送ローラ５に差し込む。これにより、台紙センサ６が台紙を検知し（Ｓ１１Ｙ）、図３（ｂ）に示すように、プラテン３及び搬送ローラ５が駆動するとともに、駆動部５０が駆動させられて剥離部材１０が剥離位置Ｑから退避位置Ｒに移動させられ、これと同時に、連動機構４０を介してエア噴射管３０が噴射位置Ｆから離間位置Ｇに移動させられる（Ｓ１２）。この場合、エア噴射管３０及び剥離部材１０が連動機構４０により連動するので、個々に移動させる場合に比較して、作動効率が向上させられる。
【００２６】
これにより、帯状台紙Ｄの先端部Ｄａが剥離部材１０のエッジ１１を通過して、吸着板２０の方へ突出していく。この場合、エア噴射管３０の離間位置Ｇは、剥離部材１０から突出した帯状台紙ＤのラベルＬの仮着側の面よりも更に外側の位置に位置するように、吸着板２０の吸着面２１に近傍に設定されているので、帯状台紙Ｄの先端部Ｄａがエア噴射管３０に干渉する事態が防止される。
更に、剥離部材１０が吸着板２０から離間するので、帯状台紙Ｄの通過経路が広くなり、帯状台紙Ｄの先端部Ｄａが吸着板２０から離間する方向に撓むことができるようになり、帯状台紙Ｄの先端部Ｄａが吸着板２０に干渉する事態も確実に防止でき、帯状台紙Ｄの先端部Ｄａを確実に突出させることができるようになる。
【００２７】
搬送ローラ５の駆動は所定時間行なわれ（Ｓ１３）、所定時間が経過すると（Ｓ１３Ｙ）、プラテン３及び搬送ローラ５の駆動が停止される（Ｓ１４）。これにより、図３（ｃ）に示すように、帯状台紙Ｄが所要長さ突出し、その先端部Ｄａが剥離部材１０の後流側に臨む。また、このとき、駆動部５０が駆動させられて剥離部材１０が退避位置Ｒから剥離位置Ｑに移動させられ、これと同時に、連動機構４０を介してエア噴射管３０が離間位置Ｇから噴射位置Ｆに移動させられる（Ｓ１４）。この場合、エア噴射管３０の離間位置Ｇは、剥離部材１０から突出した帯状台紙ＤのラベルＬの仮着側の面よりも更に外側の位置に位置しているので、この離間位置Ｇから噴射位置Ｆへの移動過程で、エア噴射管３０が帯状台紙Ｄの先端部Ｄａを押すことになり、これにより、帯状台紙Ｄが自動的に折り返される。そのため、逐一手作業で先端部Ｄａを折り返さなくてもよいことから、それだけ装着が容易になる。
その後、手作業により、帯状台紙Ｄの先端部Ｄａを、巻取リール側に装着するようにする。
【００２８】
尚、上記実施の形態において、駆動部５０の構成は、上述したものに限定されるものではなく、エアシリンダ装置を用いるなど、どのような機構を用いて構成してよいことは勿論である。また、上記実施の形態では、駆動部５０を設けたが、必ずしもこれに限定されるものではなく、特に設けずに、手動で、エア噴射管３０及び剥離部材１０を移動させるように構成してもよく、適宜変更して差支えない。
【図面の簡単な説明】
【００２９】
【図１】本発明の実施の形態に係るラベル貼付装置を示す平面図である。
【図２】本発明の実施の形態に係るラベル貼付装置を示す正面図である。
【図３】本発明の実施の形態に係るラベル貼付装置において帯状台紙の装着時の動作を示す図である。
【図４】本発明の実施の形態に係るラベル貼付装置において帯状台紙の装着時の制御部の制御を示すフローチャートである。
【図５】従来のラベル貼付装置の一例を示す図である。
【図６】従来のラベル貼付装置において帯状台紙の装着時の状態を示す図である。
【符号の説明】
【００３０】
Ｄ  帯状台紙
Ｄａ  先端部
Ｌ  ラベル
１  機台
５  搬送ローラ
６  台紙センサ
７  ブロック体
８  通過孔
９  ガイドローラ
１０  剥離部材
１１  エッジ
２０  吸着板
２１  吸着面
Ｘ  吸着位置
Ｙ  貼付位置
２５  エアシリンダ装置
２６  支持部材
３０  エア噴射管
３１  管本体
３２  噴射口
Ｆ  噴射位置
Ｇ  離間位置
３３  支持部材
３４  保持体
３４ａ  先端部
３４ｂ  基端部３４ｂ
３５  ピン
３６  回転軸
４０  連動機構
４１  突出杆
４２  ピン
５０  駆動部
５１  カム
５２  コイルスプリング
５３  最低位
５４  最高位
５５  ギヤ伝動機構
５６  電動モータ
Ｑ  剥離位置
Ｒ  退避位置
【図１】
2008155934.tif 000003
【図２】
2008155934.tif 000004
【図３】
2008155934.tif 000005
【図４】
2008155934.tif 000006
【図５】
2008155934.tif 000007
【図６】
2008155934.tif 000008
【手続補正書】
【提出日】平成19年1月30日(2007.1.30)
【手続補正１】
【補正対象書類名】特許請求の範囲
【補正対象項目名】請求項１
【補正方法】変更
【補正の内容】
【請求項１】
ラベル送出部から送出された帯状台紙を折り返して該帯状台紙に仮着されたラベルを剥離するエッジを有した剥離部材と、該剥離部材で剥離されたラベルをその表側から吸着面に吸着する吸着板と、上記剥離部材のエッジの近傍且つ上記折り返された帯状台紙の外側に位置させられて上記剥離部材から剥離されたラベルの裏側から吸着板側に向けてエアを噴射し該吸着板によるラベルの吸着を補助するエア噴射管とを備えたラベル貼付装置において、
上記エア噴射管を、上記剥離部材のエッジの近傍に位置してエアを噴射する噴射位置及び上記剥離部材から離間した離間位置の２位置に移動可能にし、
上記剥離部材を、帯状台紙に仮着されたラベルを剥離する剥離位置及び上記吸着板から離間する方向に退避する退避位置の２位置に移動可能にし、
上記エア噴射管の噴射位置から離間位置への移動と上記剥離部材の剥離位置から退避位置への移動とを連動して行なわせるとともに、上記エア噴射管の離間位置から噴射位置への移動と上記剥離部材の退避位置から剥離位置への移動とを連動して行なわせる連動機構を設けたことを特徴とするラベル貼付装置。
【手続補正２】
【補正対象書類名】明細書
【補正対象項目名】０００７
【補正方法】変更
【補正の内容】
【０００７】
上記課題を解決するため、本発明のラベル貼付装置は、  ラベル送出部から送出された帯状台紙を折り返して該帯状台紙に仮着されたラベルを剥離するエッジを有した剥離部材と、該剥離部材で剥離されたラベルをその表側から吸着面に吸着する吸着板と、上記剥離部材のエッジの近傍且つ上記折り返された帯状台紙の外側に位置させられて上記剥離部材から剥離されたラベルの裏側から吸着板側に向けてエアを噴射し該吸着板によるラベルの吸着を補助するエア噴射管とを備えたラベル貼付装置において、
上記エア噴射管を、上記剥離部材のエッジの近傍に位置してエアを噴射する噴射位置及び上記剥離部材から離間した離間位置の２位置に移動可能にし、
上記剥離部材を、帯状台紙に仮着されたラベルを剥離する剥離位置及び上記吸着板から離間する方向に退避する退避位置の２位置に移動可能にし、
上記エア噴射管の噴射位置から離間位置への移動と上記剥離部材の剥離位置から退避位置への移動とを連動して行なわせるとともに、上記エア噴射管の離間位置から噴射位置への移動と上記剥離部材の退避位置から剥離位置への移動とを連動して行なわせる連動機構を設けた構成としている。